(57)【特許請求の範囲】
【請求項１】
表側に離型面を有する基材と、貼付対象に対し接着するための接着剤層を裏側に有し、その接着剤層において前記基材の表側の離型面に仮着して保持され、前記離型面から剥離させて前記接着剤層により貼付対象に対し接着するための貼着シート状部を有してなる貼着シート状部保持体であって、
前記貼着シート状部は、所定方向に対し交差する１以上の切離可能線状部を介して前記所定方向に連なる複数の分割可能領域を有し、
前記貼着シート状部の全体又は少なくとも１つの切離可能線状部の箇所が２層以上のシート材からなり、
その２層以上のシート材からなる切離可能線状部の少なくとも１つは、最も裏側の層を含む１以上の層が、一端からその近傍部を含む前記一端寄りの位置にわたり、分割可能領域同士が切離され、それ以外の部分は易切離処理が施されており、他の１以上の層が、一端から他端にわたり切離処理が施されていることを特徴とする貼着シート状部保持体。
【請求項２】
何れか１以上の分割可能領域の表側に、剥離シート状部が仮着して剥離可能に保持されている請求項１記載の貼着シート状部保持体。
【請求項３】
何れか１以上の分割可能領域の表側に、固着シート状部が固着保持されている請求項１又は２記載の貼着シート状部保持体。
【請求項４】
上記切離可能線状部の１以上又は全てが、上記所定方向に対し直交する直線状である請求項１乃至３の何れか１項に記載の貼着シート状部保持体。
【請求項５】
表側に離型面を有する基材と、貼付対象に対し接着するための接着剤層を裏側に有し、その接着剤層において前記基材の表側の離型面に仮着して保持され、前記離型面から剥離させて前記接着剤層により貼付対象に対し接着するための貼着シート状部を有してなる貼着シート状部保持体であって、
前記貼着シート状部は、所定方向に対し交差する２以上の切離可能線状部を介して前記所定方向に連なる３以上の分割可能領域を有し、
前記２以上の切離可能線状部のうち少なくとも１つは、一端からその近傍部を含む前記一端寄りの位置にわたり、分割可能領域同士が切離された切離部であり、他の部分は分割可能領域同士が切離し易いように処理された易切離処理部である切離可能線状部であり、
その他の切離可能線状部のうち少なくとも１つは、他端からその近傍部を含む前記他端寄りの位置にわたり切離部であり他の部分は易切離処理部である切離可能線状部であることを特徴とする貼着シート状部保持体。
【請求項６】
上記貼着シート状部の全体又は上記２以上の切離可能線状部のうち少なくとも１つの切離可能線状部の箇所が２層以上のシート材からなり、
その２層以上のシート材からなる切離可能線状部の少なくとも１つは、最も裏側の層を含む１以上の層が、一端からその近傍部を含む前記一端寄りの位置にわたり、分割可能領域同士が切離され、それ以外の部分は易切離処理が施されており、他の１以上の層が、一端から他端にわたり切離処理が施されている請求項５記載の貼着シート状部保持体。
【請求項７】
何れか１以上の分割可能領域の表側に、剥離シート状部が仮着して剥離可能に保持されている請求項５又は６記載の貼着シート状部保持体。
【請求項８】
何れか１以上の分割可能領域の表側に、固着シート状部が固着保持されている請求項５乃至７の何れか１項に記載の貼着シート状部保持体。
【請求項９】
上記切離可能線状部の１以上又は全てが、上記所定方向に対し直交する直線状である請求項５乃至８の何れか１項に記載の貼着シート状部保持体。
【請求項１０】
表側に離型面を有する基材と、貼付対象に対し接着するための接着剤層を裏側に有し、その接着剤層において前記基材の表側の離型面に仮着して保持され、前記離型面から剥離させて前記接着剤層により貼付対象に対し接着するための貼着シート状部を有し、
前記貼着シート状部は、所定方向に対し交差する１以上の切離可能線状部を介して前記所定方向に連なる複数の分割可能領域を有する貼着シート状部保持体において、貼着シート状部を前記離型面から剥離させる方法であって、
前記切離可能線状部の少なくとも１つを、一端からその近傍部を含む前記一端寄りの位置にわたり、分割可能領域同士が切離された切離部であり、それ以外の部分は分割可能領域同士が切離し易いように処理された易切離処理部であるものとし、
前記所定方向の一端側のうち、所定方向に直交する方向における前記一端側寄り又は前記一端付近の箇所から、前記切離可能線状部の他端寄り又は他端付近に向かって引き剥がすことにより、
前記所定方向の一端側から前記切離可能線状部までの分割可能領域を前記離型面から剥離させると共に前記切離可能線状部の易切離処理部を、前記一端側から他端に向かって切離させ、その切離可能線状部を介して隣接する分割可能領域は前記離型面に仮着した状態を維持させることを特徴とする貼着シート状部剥離方法。
【発明の詳細な説明】
【技術分野】
【０００１】
本発明は、基材に仮着された所定方向に連なる複数の領域を有する貼着シート状部を、剥がして用いる、貼着シート状部保持体及び貼着シート状部剥離方法に関する。
【背景技術】
【０００２】
特開２０１３−１０７２３８号公報には、配送控１１と貼付票本体部１２が、配送伝票１０を分断する配送控切離しミシン３を介して連接され、貼付票本体部１２は、前記配送控切離しミシン３側に配置された貼付票１２１と配達票１２２が前記配送控切離しミシン３と平行且つ同一長で形成された配達票切離し用切込み４を介して連接された配送用シールが開示されている。
【０００３】
前記配送伝票１０は、配送情報が表示されたラベル基紙１、擬似接着層である第一の接着剤層６、中間基材７、粘着層である第二の接着剤層８、剥離基材９が順次積層された積層体からなり、前記配送控切離しミシン３は前記積層体の全層にわたり形成され、前記配達票切離し用切込み４は、ラベル基紙１及び第一の接着剤層６にわたり形成され、貼付票１２１の配送控切離しミシン３側下辺コーナー部には、下辺コーナー部を斜めに切断する貼付票本体部引き剥がし用切込み５が、ラベル基紙１、第一の接着剤層６、中間基材７、第二の接着剤層８にわたりで形成されている。
【０００４】
この配送用シールを使用する場合、配送所において、配送控切離しミシン３で配送控１１と、貼付票本体部１２に切り離し、その際に、配送控え１１の右下コーナー部に、貼付票本体部引き剥がし用切込み５により貼付票本体部１２から切り取られて剥離基材９から剥がされたコーナー５０が連接された状態となる。
【０００５】
一方、コーナー５０が剥がし取られた貼付票本体部１２の対応部には、剥離基材９の剥離面がコーナー５０の形状で露出するので、配送担当者は、貼付票本体部１２引き剥がし用切込み５によって容易に貼付票本体部１２を剥離基材９から剥がして配送物に貼付することができる。
【０００６】
配送物が受取人に渡される際に、配送担当者は、配送物に貼付された配送伝票本体１２における配達票１２２に受取人の印やサインをもらい、配達票切離し用切込み４で貼付票１２１と分離されている配達票１２２を配送伝票本体１２から引き剥がして持ち帰る。
【０００７】
しかしながら、配送物によっては、配達票１２２に受取印やサインをもらって持ち帰ることを要しない場合があり、その割合は少なくない。
【０００８】
配達票１２２が不要である場合は、配送伝票本体１２から不要の配達票１２２を予め切除して宛先を表記した貼付票１２１のみを配送物に貼ることが望ましいが、多数の配送物を効率よく処理することが求められる配送現場においては、その切除作業が存外手間を要し、作業効率低下を招いていた。
【０００９】
一方、配達票１２２を有する配送伝票１０と、配達票部分がない配送伝票を使い分けるようにすることもできるが、却って全体としての業務が非効率となる。
【先行技術文献】
【特許文献】
【００１０】
【特許文献１】特開２０１３−１０７２３８号公報
【発明の概要】
【発明が解決しようとする課題】
【００１１】
本発明は、所定方向に連なる複数の領域を有する貼着シート状部の所要領域を、効率良く分割して用いることができる、貼着シート状部保持体及び貼着シート状部剥離方法を提供することを目的とする。
【課題を解決するための手段】
【００１２】
本発明の貼着シート状部保持体及び貼着シート状部剥離方法は、例えば次のように表すことができる。
【００１３】
(1) 表側に離型面を有する基材と、貼付対象に対し接着するための接着剤層を裏側に有し、その接着剤層において前記基材の表側の離型面に仮着して保持され、前記離型面から剥離させて前記接着剤層により貼付対象に対し接着するための貼着シート状部を有してなる貼着シート状部保持体であって、
前記貼着シート状部は、所定方向に対し交差する１以上の切離可能線状部を介して前記所定方向に連なる複数の分割可能領域を有し、
前記切離可能線状部の少なくとも１つは、一端からその近傍部を含む前記一端寄りの位置にわたり、分割可能領域同士が切離された切離部であり、それ以外の部分は分割可能領域同士が切離し易いように処理された易切離処理部であることを特徴とする貼着シート状部保持体。
【００１４】
所定方向に連なる複数の分割可能領域を有する貼着シート状部のうち、前記所定方向の一端側から、所定の切離可能線状部（一端からその近傍部を含む前記一端寄りの位置にわたり切離部であり他の部分は易切離処理部であるもの）までの部分を、基材の表側の離型面から剥離させる場合に、前記所定方向の一端側のうち、所定方向に直交する方向における前記一端付近又は前記一端寄りの箇所から、前記所定の切離可能線状部の他端寄りの箇所又は他端付近に向かって引き剥がすことにより、前記所定方向の一端側から前記所定の切離可能線状部までの分割可能領域を前記離型面から剥離させると共に前記所定の切離可能線状部の易切離処理部を、前記一端側から他端に向かって切離させ、その所定の切離可能線状部を介して隣接する分割可能領域は前記離型面に仮着した状態を維持させ得る。
【００１５】
一方、前記所定方向の一端側のうち、所定方向に直交する方向における一端寄りの箇所よりも他端側の箇所から、前記所定方向に沿う向きに貼着シート状部を前記離型面から引き剥がすことにより、前記所定方向の一端側から前記所定の切離可能線状部までの分割可能領域及び前記所定の切離可能線状部を介して所定方向の他端側に隣接する分割可能領域を、前記所定の切離可能線状部の易切離処理部を切離せず、それらの分割可能領域が連なった状態で前記離型面から剥離させ得る。
【００１６】
(2) 上記の、一端からその近傍部を含む前記一端寄りの位置にわたり、分割可能領域同士が切離された切離部であり、それ以外の部分は分割可能領域同士が切離し易いように処理された易切離処理部である切離可能線状部における前記切離部の一端と他端を結ぶ直線と、上記所定方向の一端側のうち上記所定方向に直交する方向における前記切離部の一端と同じ側の一端部と前記切離可能線状部における前記切離部の他端を結ぶ直線がなす所定角度が８７度以下である上記(1)記載の貼着シート状部保持体。
【００１７】
(3) 上記の、一端からその近傍部を含む前記一端寄りの位置にわたり、分割可能領域同士が切離された切離部であり、それ以外の部分は分割可能領域同士が切離し易いように処理された易切離処理部である切離可能線状部における前記切離部の長さの、前記切離可能線状部の全長に対する所定比率が４０％以下である上記(1)又は(2)記載の貼着シート状部保持体。
【００１８】
(4) 上記切離可能線状部の１以上又は全てが、上記所定方向に対し直交する直線状である上記(1)乃至(3)の何れか１項に記載の貼着シート状部保持体。
【００１９】
(5) 上記分割可能領域の１以上又は全てが、平面視において略方形状である上記(1)乃至(4)の何れか１項に記載の貼着シート状部保持体。
【００２０】
(6) 上記複数の分割可能領域が前記所定方向に連なった連続領域が、平面視において略方形状である上記(1)乃至(5)の何れか１項に記載の貼着シート状部保持体。
【００２１】
(7) 何れか１以上の分割可能領域の表側に、剥離シート状部が仮着して剥離可能に保持されている上記(1)乃至(6)の何れか１項に記載の貼着シート状部保持体。
【００２２】
(8) 何れか１以上の分割可能領域の表側に、固着シート状部が固着保持されている上記(1)乃至(7)の何れか１項に記載の貼着シート状部保持体。
【００２３】
(9) 上記貼着シート状部は、所定方向に対し交差する２以上の切離可能線状部を介して前記所定方向に連なる３以上の分割可能領域を有し、
前記２以上の切離可能線状部のうち少なくとも１つは、一端からその近傍部を含む一端寄りの位置にわたり切離部であり他の部分は易切離処理部である切離可能線状部であり、その他の切離可能線状部のうち少なくとも１つは、他端からその近傍部を含む前記他端寄りの位置にわたり切離部であり他の部分は易切離処理部である切離可能線状部である上記(1)乃至(8)の何れか１項に記載の貼着シート状部保持体。
【００２４】
(10) 表側に離型面を有する基材と、貼付対象に対し接着するための接着剤層を裏側に有し、その接着剤層において前記基材の表側の離型面に仮着して保持され、前記離型面から剥離させて前記接着剤層により貼付対象に対し接着するための貼着シート状部を有し、
前記貼着シート状部は、所定方向に対し交差する１以上の切離可能線状部を介して前記所定方向に連なる複数の分割可能領域を有する貼着シート状部保持体において、貼着シート状部を前記離型面から剥離させる方法であって、
前記切離可能線状部の少なくとも１つを、一端からその近傍部を含む前記一端寄りの位置にわたり、分割可能領域同士が切離された切離部であり、それ以外の部分は分割可能領域同士が切離し易いように処理された易切離処理部であるものとし、
前記所定方向の一端側のうち、所定方向に直交する方向における前記一端側寄り又は前記一端付近の箇所から、前記切離可能線状部の他端寄り又は他端付近に向かって引き剥がすことにより、
前記所定方向の一端側から前記切離可能線状部までの分割可能領域を前記離型面から剥離させると共に前記切離可能線状部の易切離処理部を、前記一端側から他端に向かって切離させ、その切離可能線状部を介して隣接する分割可能領域は前記離型面に仮着した状態を維持させることを特徴とする貼着シート状部剥離方法。
【００２５】
この方法により、前記所定方向の一端側から所定の切離可能線状部（一端からその近傍部を含む前記一端寄りの位置にわたり切離部であり他の部分は易切離処理部であるもの）までの分割可能領域を前記離型面から剥離させると共に前記所定の切離可能線状部の易切離処理部を、前記一端側から他端に向かって切離させ、その所定の切離可能線状部を介して隣接する分割可能領域は前記離型面に仮着した状態を維持させ得る一方、前記所定方向の一端側のうち、所定方向に直交する方向における一端寄りの箇所よりも他端側の箇所から、前記所定方向に沿う向きに貼着シート状部を前記離型面から引き剥がすことにより、前記所定方向の一端側から前記所定の切離可能線状部までの分割可能領域及び前記所定の切離可能線状部を介して所定方向の他端側に隣接する分割可能領域を、前記所定の切離可能線状部の易切離処理部を切離せず、それらの分割可能領域が連なった状態で前記離型面から剥離させ得る。
【発明の効果】
【００２６】
本発明によれば、所定方向に連なる複数の分割可能領域を有する貼着シート状部を基材の離型面から引き剥がす位置及び向きに応じ、複数の分割可能領域の一部を剥離させることや複数の分割可能領域の全てを連なった状態で剥離させることができ、作業効率を高めることができる。
【図面の簡単な説明】
【００２７】
【図１】貼着シート状部保持シート体の平面図である。
【図２】貼着シート状部保持シート体の中央縦断面図並びにその第１切離可能線状部３０Ｊ近傍部及び第２切離可能線状部３０Ｋ近傍部の要部拡大断面図である。
【図３】図１におけるIII−IIIの第１切離可能線状部３０Ｊ近傍部及び第２切離可能線状部３０Ｋ近傍部の要部拡大断面図である。
【図４】図１におけるIV−IV拡大断面図である。
【図５】図１におけるV−V拡大断面図である。
【図６】図１において第１分割可能領域をVIの向きに引き剥がした貼着シート状部保持シート体及び貼着シート状部の縮小平面図である。
【図７】図１において第１乃至第３分割可能領域をVIIの向きに引き剥がした貼着シート状部保持シート体及び貼着シート状部の縮小平面図である。
【図８】貼着シート状部保持シート体の平面図である。
【図９】図８におけるIX−IXの第１切離可能線状部３０Ｌ近傍部及び第２切離可能線状部３０Ｍ近傍部の要部拡大断面図である。
【図１０】図８におけるＸ−Ｘの第１切離可能線状部３０Ｌ近傍部及び第２切離可能線状部３０Ｍ近傍部の要部拡大断面図である。
【図１１】図８におけるXI−XI拡大断面図である。
【図１２】図８におけるXII−XII拡大断面図である。
【図１３】図８において第１及び第２分割可能領域をXIIIの向きに引き剥がした貼着シート状部保持シート体の縮小平面図である。
【発明を実施するための形態】
【００２８】
[1] 本発明の実施の形態を、図面を参照しつつ説明する。図面は全て模式的な図である。
【００２９】
(1) 図１乃至７は、何れも本発明の実施の形態の第１の例としての貼着シート状部保持体及び貼着シート状部剥離方法についてのものである。
【００３０】
この貼着シート状部保持体は、基材１０と貼着シート状部３０を有する。
【００３１】
(2) 基材１０は、帯状の紙製シート材の表側の全面に、目止め層を介してシリコーン樹脂含有層を設けることにより離型面１２が形成されてなるものである。
【００３２】
基材１０には、長手方向の所定長さ毎に切り取りミシン部が設けられている。貼着シート状部保持体は、基材１０において切り取りミシン部で切り取られて所定長さとなった長方形部分毎に又は切り取りミシン部で切り取らずに使用することができる。
【００３３】
図示されているのは、長手方向の両端部において基材１０の切り取りミシン部で切り取られて所定長さとなった貼着シート状部保持体である。
【００３４】
(3) 貼着シート状部３０は、各種の配送物等（貼付対象）の外側面等の所要箇所に接着するための接着剤層を裏側に有し、その接着剤層において基材１０の表側の離型面１２に仮着して保持され、離型面１２から剥離させて接着剤層により貼付対象に対し貼着するものである。
【００３５】
貼着シート状部３０は、図１に示すように、基材１０における切り取りミシン部により区切られた所定長さの長方形部分の内側の一回り小さい所定長方形状の領域に仮着して基材１０の表側の離型面１２上に積層している。
【００３６】
なお、製造時は、例えば、長手方向に連続した基材１０の表側前面に形成された離型面１２上に、基材１０と同じ横幅のシート状部が、必要な接着剤層等を介して積層され、基材１０を長手方向の所定長さ毎に切り取りミシン部が施された所定横幅とすると共に、前記シート状部のうち、前記一回り小さい所定長方形状の貼着シート状部３０から食み出す部分を基材１０の表側の離型面１２から剥離させて除去するものとすることができる。
【００３７】
(3-1) 貼着シート状部３０は、前記所定長方形状の紙製の裏シート状材５０と所定長方形状の紙製の表シート状材７０が積層して構成されている。裏シート状材５０の裏面全面に、基材１０の表側の離型面１２に仮着させるための粘着剤による接着剤層が形成され、裏シート状材５０の表側に表シート状材７０が積層している。
【００３８】
(3-2) 表シート状材７０は、前記所定長方形状の長手方向（縦方向）である所定方向に互いに離隔した２箇所においてそれぞれ短手方向（幅方向）の表シート状材切離線７２により切離されることにより、所定方向に順に第１片７０ａ、第２片７０ｂ及び第３片７０ｃに分離されている。
【００３９】
第１片７０ａ、第２片７０ｂ及び第３片７０ｃは、何れも縦方向よりも幅方向の方が長い横長長方形状をなし、それぞれの縦方向長さは、第１片７０ａよりも第２片７０ｂがやや短く、第３片７０ｃは第２片７０ｂの半分よりやや短い。
【００４０】
第１片７０ａ（宛先を記載する宛先票等）は、その裏面に形成された接着剤層により、裏シート状材５０の表側における所定方向一端側（図１における上端側）の第１片対応部５０ａに固着（剥離可能であってもよい）され、第２片７０ｂ（配達先で受領印やサインを受けて配達員が持ち帰る配達証等）は、その裏面に形成された仮接着剤層により、裏シート状材５０の表側における所定方向中間部の第２片対応部５０ｂに剥離可能に仮着した剥離可能片であり、第３片７０ｃ（必要に応じたその他の記載等）も、その裏面に形成された仮接着剤層により、裏シート状材５０の表側における所定方向他端側（図１における下端側）の第３片対応部５０ｃに剥離可能に仮着した剥離可能片である。
【００４１】
(3-3) 所定方向に第１片対応部５０ａ、第２片対応部５０ｂ及び第３片対応部５０ｃが並んで構成される裏シート状材５０のうち、第１片対応部５０ａと第２片対応部５０ｂの間の所定方向に直交する直線部（表シート状材７０における第１片７０ａと第２片７０ｂを分離する表シート状材切離線７２と重なる部分）は、図１における左端からその近傍部を含む前記左端寄りの位置にわたり裏シート状材切離部５２であり、他の部分（裏シート状材切離部５２の右端から裏シート状材５０の右端まで）は裏シート状材切り取りミシン部５４である。
【００４２】
従って、裏シート状材５０の表側に表シート状材７０が積層した貼着シート状部３０のうち、第１片対応部５０ａと第２片対応部５０ｂの間の所定方向に直交する直線部は、左端からその近傍部を含む前記左端寄りの位置にわたり、表シート状材切離線７２と裏シート状材切離部５２が重なった切離部３２であり、他の部分（切離部３２の右端から貼着シート状部３０の右端まで）は、表シート状材切離線７２と裏シート状材切り取りミシン部５４が重なった易切離処理部３４としての切り取りミシン部である第１切離可能線状部３０Ｊである。
【００４３】
また、裏シート状材５０のうち、第２片対応部５０ｂと第３片対応部５０ｃの間の所定方向に直交する直線部（表シート状材７０における第２片７０ｂと第３片７０ｃを分離する表シート状材切離線７２と重なる部分）は、図１における左端から右端の全幅にわたり裏シート状材切り取りミシン部５４である。
【００４４】
従って、裏シート状材５０の表側に表シート状材７０が積層した貼着シート状部３０のうち、第２片対応部５０ｂと第３片対応部５０ｃの間の所定方向に直交する直線部は、左端から右端の全幅にわたり、表シート状材切離線７２と裏シート状材切り取りミシン部５４が重なった易切離処理部３４としての切り取りミシン部である第２切離可能線状部３０Ｋである。
【００４５】
よってこの貼着シート状部３０は、第１切離可能線状部３０Ｊ及び第２切離可能線状部３０Ｋを介して所定方向に連なる３つの分割可能領域、すなわち第１片７０ａに対応する第１分割可能領域３０ａ、第２片７０ｂに対応する第２分割可能領域３０ｂ及び第３片７０ｃに対応する第３分割可能領域３０ｃからなる。
【００４６】
第１切離可能線状部３０Ｊにおける切離部３２の左端と右端を結ぶ直線と、所定方向の一端側（図１における上端側）のうち所定方向に直交する方向における左端部（切離部３２の左端と同じ側の端部）と第１切離可能線状部３０Ｊにおける切離部３２の右端（易切離処理部３４の左端）を結ぶ直線がなす角度（所定角度）は、約７８度である。また、第１切離可能線状部３０Ｊの切離部３２の長さの第１切離可能線状部３０Ｊの全長に対する比率（所定比率）は約１２％である。
【００４７】
(3-4) 所定方向に連なる第１分割可能領域３０ａ、第２分割可能領域３０ｂ及び第３分割可能領域３０ｃを有する貼着シート状部３０のうち、配送物等（貼付対象）に貼り付ける上で、第１片７０ａ（宛先を記載する宛先票等）が表れる第１分割可能領域３０ａのみが必要である場合、所定方向の図１における上端側から第１切離可能線状部３０Ｊまでの部分を、基材１０の表側の離型面１２から剥離させる。
【００４８】
その場合、貼着シート状部３０の所定方向の上端側のうち左端付近又は左端寄りの箇所から、（例えば図１におけるVIの向きに）第１切離可能線状部３０Ｊの右端寄りの箇所又は右端付近に向かって引き剥がすことにより、図６に示すように、所定方向の上端側から第１切離可能線状部３０Ｊまでの第１分割可能領域３０ａを離型面１２から剥離させると共に、第１切離可能線状部３０Ｊの易切離処理部３４を左端側から右端に向かって切離させ、その第１切離可能線状部３０Ｊを介して隣接する第２分割可能領域３０ｂ及び第２切離可能線状部３０Ｋを介して隣接する第３分割可能領域３０ｃは離型面１２に仮着した状態を維持させ得る。このように貼着シート状部３０を基材１０から引き剥がす際は、貼着シート状部３０における引き剥がしを開始する部分を基材１０からめくってその部分を把持した状態で行うことができる。以下の場合も同様である。
【００４９】
引き剥がした貼着シート状部３０（第１分割可能領域３０ａ）は、第１片７０ａ（宛先票等）を表示するために貼付対象に貼り付けることができる。
【００５０】
一方、所定方向に連なる第１分割可能領域３０ａ並びに第２分割可能領域３０ｂ及び第３分割可能領域３０ｃを有する貼着シート状部３０を、全て連なった状態で配送物等（貼付対象）に貼り付けることが必要な場合は、貼着シート状部３０の前記所定方向の上端側のうち左端寄りの箇所よりも右端側の箇所（例えば左右方向中央部又はそれよりも右側の箇所）から、前記所定方向に沿う向きに図１における下端側に向かって（例えば図１におけるVIIの向きに）貼着シート状部３０を前記離型面１２から引き剥がすことにより、前記所定方向の上端側から第１分割可能領域３０ａ、第１切離可能線状部３０Ｊ、第２分割可能領域３０ｂ、第２切離可能線状部３０Ｋを経て第３分割可能領域３０ｃまで、第１切離可能線状部３０Ｊ及び第２切離可能線状部３０Ｋにおける各易切離処理部３４の切離を防ぎつつ、図７に示すようにそれらが連なった状態で引き剥がして離型面１２から剥離させることができる。引き剥がした貼着シート状部３０は貼付対象に貼り付けることができ、図７に２点鎖線で示すように、その第２分割可能領域３０ｂから更に第２片７０ｂ（配達員が持ち帰る配達証等）を剥離させることができる。また、第３分割可能領域３０ｃからは第３片７０ｃ（必要に応じたその他の記載等）を剥離させることができる。
【００５１】
(4) 図８乃至１３は、本発明の実施の形態の第２の例としての貼着シート状部保持体及び貼着シート状部剥離方法についてのものである。
【００５２】
(4-1) 第２の例が第１の例と相違する点は、
所定方向に第１片対応部５０ａ、第２片対応部５０ｂ及び第３片対応部５０ｃが並んで構成される裏シート状材５０のうち、第２片対応部５０ｂと第３片対応部５０ｃの間の所定方向に直交する直線部（表シート状材７０における第２片７０ｂと第３片７０ｃを分離する表シート状材切離線７２と重なる部分）が、第１の例では左端から右端の全幅にわたり裏シート状材切り取りミシン部５４であるのに対し、第２の例では、図８における右端からその近傍部を含む前記右端寄りの位置にわたり裏シート状材切離部５２であり、他の部分（裏シート状材切離部５２の左端から裏シート状材５０の左端まで）は裏シート状材切り取りミシン部５４である点である。
【００５３】
従って、裏シート状材５０の表側に表シート状材７０が積層した貼着シート状部３０のうち、第２片対応部５０ｂと第３片対応部５０ｃの間の所定方向に直交する直線部は、右端からその近傍部を含む前記右端寄りの位置にわたり、表シート状材切離線７２と裏シート状材切離部５２が重なった切離部３２であり、他の部分（切離部３２の左端から貼着シート状部３０の左端まで）は、表シート状材切離線７２と裏シート状材切り取りミシン部５４が重なった切り取りミシン部である第２切離可能線状部３０Ｍである。
【００５４】
第２切離可能線状部３０Ｍにおける切離部３２の右端と左端を結ぶ直線と、貼着シート状部３０の所定方向の一端側（図８における上端側）のうち所定方向に直交する方向における右端部（第２切離可能線状部３０Ｍの切離部３２の右端と同じ側の端部）と第２切離可能線状部３０Ｍにおける切離部３２の左端（易切離処理部３４の右端）を結ぶ直線がなす角度（所定角度）は約８５度である。また、第２切離可能線状部３０Ｍの前記切離部３２の長さの第２切離可能線状部３０Ｍの全長に対する比率（所定比率）は約１４％である。
【００５５】
(4-2) 所定方向に連なる第１分割可能領域３０ａ乃至第３分割可能領域３０ｃを有する貼着シート状部３０のうち、配送物等（貼付対象）に貼り付ける上で第１分割可能領域３０ａのみが必要である場合、所定方向の図８における上端側から第１切離可能線状部３０Ｌまでの部分を、基材１０の表側の離型面１２から剥離させる。その場合、第１の例の場合と同様に、前記所定方向の上端側のうち左端付近又は左端寄りの箇所から、（例えば図８におけるＡの向きに）第１切離可能線状部３０Ｌの右端寄りの箇所又は右端付近に向かって引き剥がすことにより、前記所定方向の上端側から第１切離可能線状部３０Ｌまでの第１分割可能領域３０ａを離型面１２から剥離させると共に、第１切離可能線状部３０Ｌの易切離処理部３４を、左端側から右端に向かって切離させ、その第１切離可能線状部３０Ｌを介して隣接する第２分割可能領域３０ｂ及び更に第２切離可能線状部３０Ｍを介して隣接する第３分割可能領域３０ｃは離型面１２に仮着した状態を維持させ得る。
【００５６】
また、貼着シート状部３０のうち、第１分割可能領域３０ａ及び第２分割可能領域３０ｂを連なった状態で配送物等（貼付対象）に貼り付けることが必要であり、第３分割可能領域３０ｃは不要である場合、所定方向の図８における上端側から第２切離可能線状部３０Ｍまでの部分を、基材１０の表側の離型面１２から剥離させる。その場合、前記所定方向の上端側のうち右端付近又は右端寄りの箇所から、第２切離可能線状部３０Ｍの左端寄りの箇所又は左端付近に向かって（例えば図８におけるXIIIの向きに）引き剥がすことにより、図１３に示すように第１切離可能線状部３０Ｌの易切離処理部３４の切離を防ぎつつ前記所定方向の上端側から第２切離可能線状部３０Ｍまでの第１分割可能領域３０ａ及び第２分割可能領域３０ｂを連なった状態で離型面１２から剥離させると共に、第２切離可能線状部３０Ｍの易切離処理部３４を右端側から左端に向かって切離させ、その第２切離可能線状部３０Ｍを介して隣接する第３分割可能領域３０ｃは離型面１２に仮着した状態を維持させ得る。
【００５７】
更に、所定方向に連なる第１分割可能領域３０ａ乃至第３分割可能領域３０ｃを、連なった状態で配送物等（貼付対象）に貼り付けることが必要な場合は、第１の例の場合と同様に、前記所定方向の上端側のうち左右方向中央部付近から、前記所定方向に沿う向きに図８における下端側に向かって（例えば図８におけるＢの向きに）貼着シート状部３０を前記離型面１２から引き剥がすことにより、前記所定方向の上端側から第１切離可能線状部３０Ｌまでの第１分割可能領域３０ａ、第１切離可能線状部３０Ｌを介して図８における下端側に隣接する第２分割可能領域３０ｂ、及び、第２切離可能線状部３０Ｍを介して下端側に隣接する第３分割可能領域３０ｃを、第１切離可能線状部３０Ｌ及び第２切離可能線状部３０Ｍの各易切離処理部３４の切離を防ぎつつ、それら第１分割可能領域３０ａ乃至第３分割可能領域３０ｃが連なった状態で引き剥がして離型面１２から剥離させることができる。引き剥がした貼着シート状部３０は貼付対象に貼り付けることができ、その第２分割可能領域３０ｂから更に第２片７０ｂ（配達員が持ち帰る配達証等）を剥離させることができ、第３分割可能領域３０ｃからは第３片７０ｃ（必要に応じたその他の記載等）を剥離させることができる。
【００５８】
[2] 本発明の実施の形態を、上記以外の形態を含めて更に説明する。
【００５９】
本発明の貼着シート状部保持体は、基材と貼着シート状部を有するものである。また本発明の貼着シート状部剥離方法は、基材と貼着シート状部を有する貼着シート状部保持体において貼着シート状部を離型面から剥離させる方法である。
【００６０】
(1) 基材は、表側に離型面を有する。離型面は、例えば、基材の表側の全部又は所要の箇所にシリコーン樹脂含有層を形成することにより設けることができる。
【００６１】
基材は、一般には１枚のシート材からなるが、複数のシート材が積層したものであってもよく、また、必ずしもシート状に限らない。
【００６２】
シート状材としては、紙や合成樹脂フィルム等のシート材の一方の面（表側）の全面又は所要箇所に、必要に応じ目止め層を介し、例えばシリコーン樹脂含有層を設けることにより離型面を形成したものを例示することができるが、これに限るものではない。
【００６３】
また、基材は、裏側に例えば接着剤層又は離型面等を有するものでもよい。
【００６４】
(2) 貼着シート状部は、貼付対象（例えば、各種の配送物）に対し接着するための接着剤層を裏側に有し、その接着剤層において前記基材の表側の離型面に仮着して保持され、前記離型面から剥離させて前記接着剤層により貼付対象に対し貼着するためのものである。
【００６５】
基材の表側の面には、貼着シート状部以外のシート状部が固着又は仮着して保持されていてもよい。例えば、基材の表側の面の所定方向における一定範囲の部分、又は、基材の表側の面における一定の二次元的な範囲の部分（例えば一定の略方形状部分等の多角形状部分や円形部分等の閉曲線により囲まれた部分）に貼着シート状部が仮着保持され、その他の部分に貼着シート状部以外のシート状部が固着又は仮着して保持されているものすることができる。基材の表側の面に保持される貼着シート状部と貼着シート状部以外のシート状部は、例えば切離部（スリット部）等により実質上分離（例えば、両者が一部で連結しておりその部分を切断すれば分離するものであってもよい）されているものとすることができる。
【００６６】
貼着シート状部としては、紙や合成樹脂フィルム等のシート状材の一方の面（裏側）に、粘着剤等による接着剤層を形成したものを例示することができる。
【００６７】
貼着シート状部は、例えば、（剥離可能な又は不可能な）２層以上である積層シート状であるもの、単層シート状であるもの、又は、（剥離可能な又は不可能な）積層シート状部と単層シート状部を有するものとすることができる。
【００６８】
(2-1) 貼着シート状部は、所定方向に対し交差する（好ましくは所定方向に対し直交する）１又は２以上の切離可能線状部を介して前記所定方向に連なる複数（２又は３以上）の分割可能領域を有する。各切離可能線状部は、直線状であることが好ましいが、必ずしも直線状に限るものではない。
【００６９】
各分割可能領域は、例えば平面視において略方形状（長方形、正方形、角丸長方形を含む略長方形状又は角丸正方形を含む略正方形状）であるものとすることができるが、これに限るものではない。
【００７０】
また、１又は２以上の切離可能線状部を介して複数の分割可能領域が前記所定方向に連なった連続領域は、例えば平面視において略方形状であるものとすることができるが、これに限るものではない。
【００７１】
(2-2) 貼着シート状部は、何れか１以上の分割可能領域の表側に、剥離シート状部（例えば、配達先で受領印やサインを受けて配達員が持ち帰る配達証、宛先票であって受領者が剥離させて包装材とは別に廃棄し得るもの等）が仮着して剥離可能に保持されているものとすることができる。
【００７２】
剥離シート状部としては、紙や合成樹脂フィルム等のシート状材からなるものを例示することができる。
【００７３】
剥離シート状部は、例えば、貼着シート状部の分割可能領域の表側に保持された後に剥離した場合、分割可能領域の表側にそのまま再保持され得ないものとすることができる。このような剥離シート状部は、その一方の面（裏側）と貼着シート状部の表側のうち一方又は両方に仮接着剤層を形成することにより、剥離シート状部の裏側が貼着シート状部の表側に仮着し得るものとすることができるが、必ずしもこれに限るものではない。
【００７４】
仮接着剤層を構成する仮接着剤は、その仮接着剤を介して保持体が剥離シートを剥離可能に保持し得るもの、例えば感圧接着性の擬似糊（例えば水分３０重量％のアクリル樹脂エマルジョンを主成分とするもの）とすることができるが、必ずしもこれに限るものではない。
【００７５】
また、剥離シート状部は、例えば、接着剤層を裏側に有し、その接着剤層において前記貼着シート状部の分割可能領域の表側に形成された離型面に仮着して保持され、その離型面から剥離させて前記接着剤層により貼付対象に対し貼着し得るものとすることができる。
【００７６】
なお、剥離シート状部は、１枚のシート状材（単層）からなるものとすることができるが、これに限るものではない。
【００７７】
(2-3) 貼着シート状部は、何れか１以上の分割可能領域の表側に、固着シート状部が固着保持されているものとすることができる。
【００７８】
固着シート状部としては、紙や合成樹脂フィルム等のシート状材からなるものを例示することができ、例えば、固着シート状部の一方の面（裏側）と貼着シート状部の表側の一方に接着剤層を形成することにより、固着シート状部の裏側が貼着シート状部の表側に固着保持されたものとすることができる。
【００７９】
なお、固着シート状部は、１枚のシート状材（単層）からなるものとすることができるが、これに限るものではない。
【００８０】
(2-4) 前記１又は２以上の切離可能線状部（好ましくは前記所定方向に直交するもの）の少なくとも１つは、一端（例えば切離可能線状部の左端）からその近傍部を含む前記一端寄りの位置（例えば切離可能線状部の左右方向中央よりも左端寄りの位置）にわたり、分割可能領域同士が切離された切離部（例えばスリット部）であり、他の部分は分割可能領域同士が切離し易いように処理された易切離処理部（例えば、各種の切り取りミシン処理が施された部分、或いは、場合によっては、切取りミシン処理部に部分的にその切取りミシン処理部のカット部よりも長い切離箇所が組み合わされたもの）である。
【００８１】
このような切離可能線状部としては、例えば貼着シート状部を所定方向に直交する左右方向に横切る直線状のものである場合、その左端からその近傍部を含む左端寄りの位置にわたり、所定方向に連なる分割可能領域のうち所定方向一端側の分割可能領域と所定方向他端側の分割可能領域が切離された切離部であり、他の部分、すなわち、その切離可能線状部における前記切離部の右端よりも右側は、前記所定方向一端側と他端側の分割可能領域同士が切離し易いように処理された易切離処理部であるもの、或いは、右端からその近傍部を含む前記右端寄りの位置にわたり切離部であり、他の部分、すなわち、その切離可能線状部における前記切離部の左端よりも左側は易切離処理部であるものを挙げることができる。
【００８２】
貼着シート状部は、所定方向に対し交差する２以上の切離可能線状部を介して前記所定方向に連なる３以上の分割可能領域を有し、前記２以上の切離可能線状部のうち少なくとも１つは、一端からその近傍部を含む前記一端寄りの位置にわたり切離部であり他の部分は易切離処理部である切離可能線状部とすることができ、その他の切離可能線状部のうち少なくとも１つは、他端からその近傍部を含む前記他端寄りの位置にわたり切離部であり他の部分は易切離処理部である切離可能線状部であるものとすることができる。
【００８３】
また、その他の切離可能線状部として、例えば、全長にわたり易切離処理部であるもの（特に、所定方向に直交する直線状のもの）を挙げることができるが、これに限るものではない。
【００８４】
貼着シート状部の全体又は少なくとも切離可能線状部の箇所が２層以上のシート材からなる場合、切離可能線状部の易切離処理部は、全層のうち何れか１以上の層（例えば最も裏側の１以上の層）に切り取りミシン処理が施され、他の１以上の層には切離処理が施されることにより（例えば２層のうち裏側の層にはミシン処理、表側の層には切離処理が施されることにより）、全層として易切離処理部を構成するものとすることもできる。
【００８５】
(2-5) (i) 貼着シート状部は、所定方向に対し交差する１以上の切離可能線状部を介して前記所定方向に連なる複数の分割可能領域を有し、前記切離可能線状部の少なくとも１つは、一端からその近傍部を含む前記一端寄りの位置にわたり、分割可能領域同士が切離された切離部であり、それ以外の部分は分割可能領域同士が切離し易いように処理された易切離処理部である所定の切離可能線状部である、貼着シート状部保持体において、
所定方向に連なる複数の分割可能領域を有する貼着シート状部のうち、所定方向の一端側から、前記所定の切離可能線状部までの部分を、基材の表側の離型面から剥離させる場合に、
前記所定方向の一端側のうち、所定方向に直交する方向における前記一端付近（例えば左端付近）又は前記一端寄り（例えば左端寄り）の箇所から、前記所定の切離可能線状部の他端寄り（例えば右端寄り）の箇所又は他端付近（例えば右端付近）に向かって引き剥がすことにより、
前記所定方向の一端側から前記所定の切離可能線状部までの分割可能領域を前記離型面から剥離させると共に前記所定の切離可能線状部の易切離処理部を前記一端側（例えば左端側）から他端（例えば右端）に向かって切離させ、その所定の切離可能線状部を介して前記所定方向の他端側に隣接する分割可能領域は前記離型面に仮着した状態を維持させ得る。
【００８６】
その一方において、前記所定方向の一端側のうち、所定方向に直交する方向における一端寄り（例えば左端寄り）の箇所よりも他端側（例えば右端側）の箇所から、前記所定方向に沿う向きに前記所定方向の他端側に向かって貼着シート状部を前記離型面から引き剥がすことにより、前記所定方向の一端側から前記所定の切離可能線状部までの分割可能領域及び前記所定の切離可能線状部を介して所定方向の他端側に隣接する分割可能領域を、前記所定の切離可能線状部の易切離処理部を切離せず、それらの分割可能領域が連なった状態で前記離型面から剥離させ得る。
【００８７】
これら何れの場合についても、貼着シート状部の剥がし方を示す表示を、文字、図形、その他の画像により貼着シート状部又はその他の箇所に設けることができる。
【００８８】
このように、所定方向に連なる複数の分割可能領域を有する貼着シート状部について、分割可能領域を引き剥がす位置や向きに応じ、前記所定方向の一端側から、所定の切離可能線状部［所定方向に直交する方向における一端（例えば左端）からその近傍部を含む前記一端寄りの位置にわたり切離部であり他の部分は易切離処理部である］（好ましくは直線状であるものであり、好ましくは所定方向に対し直交するもの）までの剥離対象分割可能領域（好ましくは平面視において略方形状であるもの）のみを基材の表側の離型面から剥離させたり、前記所定の切離可能線状部を介して隣接する分割可能領域が連なった状態で前記離型面から剥離させ得るものとする上で、前記所定の切離可能線状部における一端からその近傍部を含む前記一端寄りの位置にわたる切離部の長さに関し、
例えば、前記所定の切離可能線状部における前記切離部の一端と他端を結ぶ直線と、前記所定方向の一端側のうち前記所定方向に直交する方向における前記切離部の一端と同じ側の一端部（例えば左端部。例えば前記剥離対象部が平面視において略方形状である場合における所定方向一端側の辺の一端［例えば左端］の角部。）と、前記切離可能線状部における前記切離部の他端（例えば右端。易切離処理部の一端、例えば左端。）を結ぶ直線がなす所定角度は、例えば８７度以下、望ましくは８５度以下であるものとすることができる。好ましくは８０度以下、より好ましくは７５度以下である。また、前記所定角度は、例えば４５度以上とすることができる。好ましくは５０度以上、より好ましくは５５度又は６０度以上である。
【００８９】
また、前記所定の切離可能線状部の一端からその近傍部を含む前記一端寄りの位置にわたる切離部の長さの、前記所定の切離可能線状部の全長に対する所定比率は、例えば５０％未満、好ましくは４０％以下、より好ましくは３０％以下、更に好ましくは２０％以下であるものとすることができる。また、前記所定比率は、例えば５％以上、好ましくは１０％以上、より好ましくは１２％以上であるものとすることができる。
【００９０】
或いは、例えば、前記所定角度が８７度以下、望ましくは８５度以下、好ましくは８０度以下、より好ましくは７５度以下であり、前記所定比率が５０％未満、好ましくは４０％以下、より好ましくは３０％以下、更に好ましくは２０％以下であるものとすることができる。
【００９１】
また例えば、前記所定比率が５％以上、好ましくは１０％以上、より好ましくは１２％以上であり、前記所定角度が４５度以上、好ましくは５０度以上、より好ましくは５５度又は６０度以上であるものとすることができる。
【００９２】
(ii) 上記(2-5) (i)の貼着シート状部保持体において、上記所定の切離可能線状部である第１の所定切離可能線状部よりも所定方向の他端側又は一端側に、他端（例えば右端）からその近傍部を含む前記他端寄りの位置にわたり、分割可能領域同士が切離された切離部であり、それ以外の部分は分割可能領域同士が切離し易いように処理された易切離処理部である第２の所定切離可能線状部を有し、前記所定方向に連なる複数の分割可能領域を有する貼着シート状部のうち、前記所定方向の一端側から第２の所定切離可能線状部までの部分を、基材の表側の離型面から剥離させる場合に、前記所定方向の一端側のうち、所定方向に直交する方向における前記他端付近（例えば右端付近）又は前記他端寄り（例えば右端寄り）の箇所から、第２の所定切離可能線状部の一端寄り（例えば左端寄り）の箇所又は一端付近（例えば左端付近）に向かって引き剥がすことにより、前記所定方向の一端側から第２の所定切離可能線状部までの１又は複数の分割可能領域を前記離型面から剥離させると共に、第２の所定切離可能線状部の易切離処理部を前記他端側から一端に向かって切離させ、その第２の所定切離可能線状部を介して前記所定方向の他端側に隣接する分割可能領域は前記離型面に仮着した状態を維持させ得る。
【００９３】
この場合において、第１の所定切離可能線状部が第２の所定切離可能線状部よりも所定方向の一端側に位置する場合は、第１の所定切離可能線状部の易切離処理部を切離せず、第１の所定切離可能線状部を介して隣接する分割可能領域が連なった状態で前記離型面から剥離させることができる。
【００９４】
また、前記所定方向の一端側のうち、所定方向に直交する方向における前記一端付近（例えば左端付近）又は前記一端寄り（例えば左端寄り）の箇所から、第１の所定切離可能線状部の他端寄り（例えば右端寄り）の箇所又は他端付近（例えば右端付近）に向かって引き剥がすことにより、前記所定方向の一端側から第１の所定切離可能線状部までの１又は複数の分割可能領域を前記離型面から剥離させると共に第１の所定切離可能線状部の易切離処理部を前記一端側から他端に向かって切離させ、その第１の所定切離可能線状部を介して前記所定方向の他端側に隣接する分割可能領域は前記離型面に仮着した状態を維持させ得る。
【００９５】
この場合において、第２の所定切離可能線状部が第１の所定切離可能線状部よりも所定方向の一端側に位置する場合は、第２の所定切離可能線状部の易切離処理部を切離せず、第２の所定切離可能線状部を介して隣接する分割可能領域が連なった状態で前記離型面から剥離させることができる。
【００９６】
更に、前記所定方向の一端側のうち、所定方向に直交する方向における中間位置から、前記所定方向に沿う向きに前記所定方向の他端側に向かって貼着シート状部を前記離型面から引き剥がすことにより、前記所定方向の一端側から第１の所定切離可能線状部及び第２の所定切離可能線状部（順序不同）を介して隣接する各分割可能領域を、これらの第１の所定切離可能線状部及び第２の所定切離可能線状部の各易切離処理部を切離せず、それらの分割可能領域が連なった状態で前記離型面から剥離させ得る。
【００９７】
これら何れの場合についても、貼着シート状部の剥がし方を示す表示を、文字、図形、その他の画像により貼着シート状部又はその他の箇所に設けることができる。
【符号の説明】
【００９８】
１０      基材
１２      離型面
３０      貼着シート状部
３０ａ    第１分割可能領域
３０ｂ    第２分割可能領域
３０ｃ    第３分割可能領域
３０Ｊ    第１切離可能線状部
３０Ｋ    第２切離可能線状部
３０Ｌ    第１切離可能線状部
３０Ｍ    第２切離可能線状部
３２      切離部
３４      易切離処理部
５０      裏シート状材
５０ａ    第１片対応部
５０ｂ    第２片対応部
５０ｃ    第３片対応部
５２      裏シート状材切離部
５４      裏シート状材切り取りミシン部
７０      表シート状材
７０ａ    第１片
７０ｂ    第２片
７０ｃ    第３片
７２      表シート状材切離線
【要約】
【課題】  所定方向に連なる複数の領域を有する貼着シート状部の所要領域を効率良く分割して用いることができる貼着シート状部保持体及び貼着シート状部剥離方法の提供。
【解決手段】  表側に離型面１２を有する基材１０と、貼付対象に接着する接着剤層を裏側に有し、離型面１２に仮着して保持され、離型面１２から剥離させて貼付対象に接着するための貼着シート状部３０を設ける。貼着シート状部３０は、長手方向に直交する第１切離可能線状部３０Ｊ及び第２切離可能線状部３０Ｋを介して連なる第１分割可能領域３０ａ、第２分割可能領域３０ｂ及び第３分割可能領域３０ｃを有する。第１切離可能線状部３０Ｊは、左端からその近傍部にわたり、第１分割可能領域３０ａと第２分割可能領域３０ｂが切離された切離部３２であり、それ以外の部分は両分割可能領域同士が易切離処理部３４とする。
【選択図】      図１【図１】
0006956990.tif 000002
【図２】
0006956990.tif 000003
【図３】
0006956990.tif 000004
【図４】
0006956990.tif 000005
【図５】
0006956990.tif 000006
【図６】
0006956990.tif 000007
【図７】
0006956990.tif 000008
【図８】
0006956990.tif 000009
【図９】
0006956990.tif 000010
【図１０】
0006956990.tif 000011
【図１１】
0006956990.tif 000012
【図１２】
0006956990.tif 000013
【図１３】
0006956990.tif 000014